(57)【要約】  【課題】  本発明は、意匠性の高い、高級感に富む発光態様となるディスプレイ装置を提供することを目的とする。  【解決手段】  壁面に取り付けられるディスプレイ装置であって、  前記壁面と距離を置いて設けられるディスプレイ本体と、  前記壁面と前記ディスプレイ本体との間に設けられ、前記ディスプレイ本体側に光を放出する第１のＬＥＤユニットと、  前記第１のＬＥＤユニットと前記ディスプレイ本体との間に設けられ、前記第１のＬＥＤユニットの光を前記壁面側に拡散反射する光拡散反射面と、  を備える、ディスプレイ装置とする。  【選択図】  図２
2006208938.tif 000002
【特許請求の範囲】
【請求項１】
壁面に取り付けられるディスプレイ装置であって、
前記壁面と距離を置いて設けられるディスプレイ本体と、
前記壁面と前記ディスプレイ本体との間に設けられ、前記ディスプレイ本体側に光を放出する第１のＬＥＤユニットと、
前記第１のＬＥＤユニットと前記ディスプレイ本体との間に設けられ、前記第１のＬＥＤユニットの光を前記壁面側に拡散反射する光拡散反射面と、
を備える、ディスプレイ装置。
【請求項２】
前記第１のＬＥＤユニットが透光性の部材に固定されている、ことを特徴とする請求項１に記載のディスプレイ装置。
【請求項３】
前記光拡散反射面が透光性を更に有し、前記第１のＬＥＤユニットの光の一部を透過する、請求項１又は２に記載のディスプレイ装置。
【請求項４】
前記壁面と前記光拡散反射面との間に光拡散層を更に備える、請求項１〜３のいずれかに記載のディスプレイ装置。
【請求項５】
前記ディスプレイ本体の観察面側に光を放出する第２のＬＥＤユニットを備える、請求項１〜４のいずれかに記載のディスプレイ装置。
【請求項６】
前記第２のＬＥＤユニットの光放出側に光拡散透過性のカバーを備える、請求項５に記載のディスプレイ装置。
【請求項７】
前記第２のＬＥＤユニットの光放出側に色変換層を備える、請求項５又は６に記載のディスプレイ装置。
【請求項８】
前記第１のＬＥＤユニットの発光色と前記第２のＬＥＤユニットの発光色とが異なる、請求項５〜７のいずれかに記載のディスプレイ装置。
【発明の詳細な説明】
【技術分野】
【０００１】
本発明はディスプレイ装置に関する。詳しくは、ＬＥＤを用いたディスプレイ装置に関する。
【背景技術】
【０００２】
従来、ロゴや広告などを表示する機材として、壁面に取り付けるディスプレイ装置が広く用いられている。このようなディスプレイ装置では、直接又は間接照明してその視認性を高めたり、意匠性を向上させることが行われている。例えば図５に示すディスプレイ装置１００では、ディスプレイ本体１０１の背面にＬＥＤユニット１０２を設けて、ＬＥＤユニット１０２から壁面１０３に光を照射しディスプレイ本体１０１を間接照明する。また、ＬＥＤを用いた間接照明として特許文献１が提案されている。
【０００３】
【特許文献１】特開２００３−９２００６号公報
【発明の開示】
【発明が解決しようとする課題】
【０００４】
従来例の図５に示したディスプレイ装置１００によると、ＬＥＤユニット１０２によりディスプレイ本体１０１が間接照明される。しかしながら点光源であるＬＥＤユニット１０２の光が直接壁面１０３に照射されることから、その発光態様はＬＥＤの位置に対応して極度に高輝度の領域（輝点）が存在するものとなり、照度ムラが発生することとなる。そのため、意匠性に劣るとともに高級感に乏しい発光態様となっていた。
そこで本発明は、意匠性の高い、高級感に富む発光態様となるディスプレイ装置を提供することを目的とする。
【課題を解決するための手段】
【０００５】
本発明は以上の目的を達成するために、以下の構成からなる。即ち、
壁面に取り付けられるディスプレイ装置であって、
前記壁面と距離を置いて設けられるディスプレイ本体と、
前記壁面と前記ディスプレイ本体との間に設けられ、前記ディスプレイ本体側に光を放出する第１のＬＥＤユニットと、
前記第１のＬＥＤユニットと前記ディスプレイ本体との間に設けられ、前記第１のＬＥＤユニットの光を前記壁面側に拡散反射する光拡散反射面と、
を備える、ディスプレイ装置とする。
【発明の効果】
【０００６】
上記構成では、まず第１のＬＥＤユニットの光がディスプレイ本体側へ放出される。この光は、第１のＬＥＤユニットとディスプレイ本体との間に設けられた光拡散反射面によって拡散反射されて壁面側へ進行する。この光が壁面へ照射されることによりディスプレイ本体が間接照明されることとなる。このとき、第１のＬＥＤユニットの光は光拡散反射面により壁面側へ拡散しながら反射されることにより光の混合が促され、輝度の均一化が図られる。その結果、壁面において輝点の発生が抑えられ、照度ムラが軽減される。従って、ディスプレイ本体の後方の壁面がより均一に照明され、ディスプレイ本体が良好に間接照明されることとなる。特に夜間や暗所において、ディスプレイ本体が浮き上がったように観察されるため、意匠性の高い、高級感に富んだ発光態様が提供される。
【発明を実施するための最良の形態】
【０００７】
以下、本発明におけるディスプレイ装置の構成要素について詳細に説明する。
本発明のディスプレイ装置は壁面に取り付けられる。ディスプレイ装置は、ディスプレイ本体、第１のＬＥＤユニット及び光拡散反射面を含む。ディスプレイ本体は壁面と距離を置いて設けられる。壁面から距離を置いて設ける手段としては、ディスプレイ本体の背面に柱状の足を設けてこれにより壁面へ固定する、若しくは足を地面に固定する、またはディスプレイ本体を天井から吊るなどの手段がある。壁面とディスプレイ本体との距離は例えば、５０ｍｍ〜２００ｍｍ、好ましくは７５ｍｍ〜１５０ｍｍである。ディスプレイ本体の形状は、目的の表示形状に合わせて任意の形状を採用することができ、例えば、直線や曲線などの幾何学形状、社名や製品名などを表すロゴ、又は文字等とすることができる。
【０００８】
第１のＬＥＤユニットは壁面とディスプレイ本体との間に設けられる。第１のＬＥＤユニットはディスプレイ本体側に光を放出する。第１のＬＥＤユニットが備えるＬＥＤは小型であるため設置スペースが少なくて済むという利点を有する。またＬＥＤは消費電力が小さいことから省エネルギー化の要請にも沿うものである。更にＬＥＤは発熱量が小さく周りの部材に与える影響が少ないといった利点も併せ持つ。加えてＬＥＤは長寿命であるからメンテナンスの面などからも有利なものとなる。更に言えば、ＬＥＤは振動、衝撃に強いことから信頼性の高い光源を構成できるといった利点もある。ＬＥＤのタイプは特に限定されず、砲弾型、ＳＭＤ型等、種々のものを採用できる。ＬＥＤは広指向角のＬＥＤを用いることが好ましい。壁面をより広範囲に照明し、ディスプレイ本体をより良好に間接照明できるからである。尚、第１のＬＥＤユニットが複数のＬＥＤを備えていても良い。ＬＥＤの発光色は特に限定されず、白、赤、緑、青等の光を発生するＬＥＤを採用できる。
【０００９】
第１のＬＥＤユニットにおいて、ＬＥＤは固定板に固定されている。固定板は透光性材料によって形成することが好ましい。かかる構成によると、後述するように壁面側へ拡散反射された第１のＬＥＤユニットの光の進行を妨げないからである。固定板を非透光性材料によって形成してもよいが、その場合は固定板に光透過孔を設けることが好ましい。拡散反射光の進行を可能とするだけでなく、放熱性を向上させることもできるからである。なお、この固定板はディスプレイ本体又は壁面へ固定される。
【００１０】
光拡散反射面は第１のＬＥＤユニットとディスプレイ本体との間に設けられる。光拡散反射面は第１のＬＥＤユニットの光を壁面側に拡散反射する。光拡散反射面は、ディスプレイ本体の背面（壁面側の面）に光拡散処理及び光反射処理を施すことより形成することができる。光拡散処理としては特に限定されず、シボ加工、ブラスト処理などの周知の方法を採用できる。光反射処理としては、アルミ等の金属の蒸着、光反射性テープの貼付、光反射性塗料若しくは樹脂の塗布等による光反射層の形成など周知の方法を採用できる。または、拡散反射性材料により光拡散反射面を形成してもよい。あるいは第１のＬＥＤユニットとディスプレイ本体との間に光拡散反射層を設けて、その第１のＬＥＤユニットに対向する面を光拡散反射面としてもよい。光拡散反射層は例えば、アルミなどの金属層の表面に光拡散処理を施すことにより形成することができる。
【００１１】
光拡散反射面が透光性を更に有していても良い。即ち、第１のＬＥＤユニットの光の一部を壁面側へ拡散反射し、他の一部をディスプレイ本体の観察面側（壁面側と反対側）へ透過しても良い。例えば、透光性材料で形成したディスプレイ本体の背面にハーフミラー層と透明樹脂層とを順次積層し、該樹脂層に光拡散処理を施すことにより光拡散反射面を形成してもよい。ハーフミラー層は、例えばアルミなどの金属を蒸着して所定膜厚とすることにより形成できる。このような光拡散反射面によると、第１のＬＥＤユニットの光の一部を壁面側へ拡散反射し、他の一部をディスプレイ本体の観察面側へ透過することができる。即ち、壁面側へ拡散反射した光を間接照明に利用し、観察面側へ透過した光をディスプレイ本体が自発光する光として利用することができる。
【００１２】
光拡散反射面と第１のＬＥＤユニットとの間、または第１のＬＥＤユニットと壁面との間に、さらに光拡散層を設けても良い。光拡散層は透光性材料に光拡散処理を施すことにより形成することができる。透光性材料としては、アクリル樹脂、ポリエチレンテレフタレート（ＰＥＴ）、ポリカーボネート樹脂、シリコーン樹脂、エポキシ樹脂等の合成樹脂や、ガラスなどの無機材料などの周知の材料を採用できる。光拡散処理は既述のようにディスプレイ本体の背面（壁面側の面）に施す光拡散処理と同様の方法を採用できる。第１のＬＥＤユニットにおいて、ＬＥＤを固定する固定板を光拡散層としても利用することもできる。即ち、透光性材料により形成した固定板の表面に光拡散処理を施して、これを光拡散層とすることができる。光拡散層を設けることにより、第１のＬＥＤユニットの光を一層拡散させて、光の混合を促進することができる。
光拡散層に蛍光体を含有させることができる。このようにすれば、第１のＬＥＤの光の一部を蛍光体で波長変換し、本来の色とは異なる色に変換することができる。透光性の固定板や透光性を有する光拡散反射面に蛍光体を含有させることもできる。
ディスプレイ本体と壁面の間に蛍光体を含む層を設けても良い。蛍光体を含む層は、蛍光体を含むインクや塗料の印刷、塗布などにより、又は蛍光体を含むシートの貼付などによって形成することができる。
【００１３】
ディスプレイ本体の観察面側、即ち壁面の反対側に第２のＬＥＤユニットを設けても良い。第２のＬＥＤユニットは観察面側に光を放出するように設けられる。第２のＬＥＤユニットは、第１のＬＥＤユニットと同様に、複数のＬＥＤを備えていても良く、ＬＥＤの発光色も特に限定されず、白、赤、緑、青等の光を発生するＬＥＤを採用できる。第２のＬＥＤユニットにより観察面側に光を照射することにより、ディスプレイ本体を自発光させて、特に夜間や暗所においてディスプレイ本体の形状を一層視認しやすくすることができる。第２のＬＥＤユニットの光放出側に光拡散透過性のカバーを設けても良い。光拡散透過性のカバーは、透光性材料で形成したカバーの表面（片面又は両面）に光拡散処理を施すことにより形成することができる。光拡散処理は既述のようにディスプレイ本体の背面に施す光拡散処理と同様の方法を採用できる。光拡散透過性のカバーを設けることにより、第２のＬＥＤユニットの光を拡散させて放出することができるため、放出光の輝度の均一化が図られる。第２のＬＥＤユニットの光放出側に色変換層を形成することによって、第２のＬＥＤユニットの光を本来の色と異なる色の光に変換することもできる。色変換層は有色インクの塗布や有色テープの貼付など、周知の方法により形成することができる。カバーへの有色インクの塗布や有色テープの貼付により、ＬＥＤ光の色変換と合わせて、日中や明所における意匠性を高めることもできる。
【００１４】
以下に、実施例を用いて本発明をより詳細に説明する。
【実施例１】
【００１５】
本発明の一の実施例であるディスプレイ装置１の斜視図を図１に示し、図１におけるディスプレイ装置１のａ−ａ縦断面図を図２に示す。ディスプレイ装置１は、足３、ディスプレイ本体４、第１のＬＥＤユニット５、第２のＬＥＤユニット６、及びカバー７を備える。
図１に示すように、ディスプレイ本体４は「０」を模った形状であって、８本の足３により壁面２から約１００ｍｍの距離を置いて配置されている。図２に示すようにディスプレイ本体４は側部フレーム４０と上部フレーム４１からなる。側部フレーム４０は非透光性の樹脂板により形成されている。上部フレーム４１は非透光性の樹脂板により形成され、その壁面２側の面は光拡散反射面４２となっている。
【００１６】
ディスプレイ本体４の壁面２側には、第１のＬＥＤユニット５が配置される。第１のＬＥＤユニット５は、透光性の透明アクリル樹脂製固定板５１と、固定板５１上に設けられた多数（例えば１０個）の白色発光ＳＭＤ型ＬＥＤ（第１ＬＥＤ５０）とからなる。第１ＬＥＤ５０は、ディスプレイ本体４が模る「０」形状の中心線に沿って、光拡散反射面４２に対向して配置されている。また、固定板５１の壁面２側の面５２には光拡散処理としてシボ加工が施されている。
【００１７】
上部フレーム４１上には第２のＬＥＤユニット６が配置されている。第２のＬＥＤユニット６は多数（例えば１０個）の赤色発光ＳＭＤ型ＬＥＤ（第２ＬＥＤ６０）を備えている。第２ＬＥＤ６０は、ディスプレイ本体４が模る「０」形状の中心線に沿って、ディスプレイ本体４の観察面側（壁面２と反対側）に向けて光を放出するように、上部フレーム４１上に配置されている。ディスプレイ本体４の上部は透光性の赤色アクリル製カバー７によって覆われている。カバー７の観察面７１には光拡散処理としてシボ加工が施されている。
【００１８】
次にディスプレイ装置１の発光態様を説明する。第１ＬＥＤ５０の光は、上部フレーム４１の方向に進行し、光拡散反射面４２へ照射される。この光は光拡散反射面４２により壁面２側へ拡散反射される。拡散反射された光は透光性の固定板５１を透過して壁面２へ照射される。このとき、第１ＬＥＤ５０の白色光は光拡散反射面４２により壁面２側へ拡散しながら反射されることにより光の混合が促され、輝度の均一化が図られる。拡散反射光は光拡散処理が施された面５２によっても拡散される。これにより光の混合が一層促進され、輝度の均一化がより一層図られる。その結果、壁面２において輝点の発生が抑えられ、照度ムラが軽減される。従って、ディスプレイ本体４の後方の壁面２が均一に白色照明され、ディスプレイ本体４が良好に間接照明されることとなる。
【００１９】
一方、第２ＬＥＤ６０の赤色光はカバー７の方向へ進行し、観察面７１から放出される。観察面７１には光拡散処理が施されており、第２ＬＥＤ６０の赤色光は観察面７１上で拡散して放出されるので観察面７１が自発光して観察されることとなる。その結果、ディスプレイ本体４が模る「０」形状全体が赤色発光して観察される。
【００２０】
以上のように、ディスプレイ装置１によると、第１のＬＥＤユニット５による白色の間接照明と、第２のＬＥＤユニット６によるディスプレイ本体４の赤色発光とが同時に行われることにより、特に夜間や暗所において、ディスプレイ本体４が浮き上がったように観察されるため、意匠性の高い、高級感に富んだ発光態様が提供される。
【００２１】
上記ディスプレイ装置１では透光性の透明アクリル樹脂製固定板５１により第１ＬＥＤ５０を固定したが、図３に示すように、アルミ製のプレートに多数の貫通孔（光透過孔５２）を設けたパンチングメタルで形成された固定板５１０によって第１ＬＥＤ５０を固定しても良い。この例のディスプレイ装置１０では、光拡散反射面４２による拡散反射光は光透過孔５２を通過して壁面２側へ進行し、壁面へ照射される。光透過孔５２は通気孔としても作用するため放熱性が向上する。その結果、第１ＬＥＤ５０の周囲の部材へ悪影響を与えにくいといった効果が奏される。
【実施例２】
【００２２】
本発明の他の実施例であるディスプレイ装置１１０の断面図を図４に示す。尚、図４において、上述のディスプレイ装置１、１０と同一の部材には同一の符号を付してその説明を省略する。
ディスプレイ装置１１０はディスプレイ本体４００を備える。ディスプレイ本体４００は透明アクリル樹脂製の上部フレーム４１０、側部フレーム４０を備える。上部フレーム４１０の第１のＬＥＤユニット５に対向する面４２０には、アルミ蒸着によるハーフミラー層とエポキシ樹脂の塗布による透明樹脂層とが順次積層されている。さらに透明樹脂層にはブラスト処理による光拡散処理が施されている。即ち、面４２０は光透過性と光拡散反射性とをあわせもつ面となっている。ディスプレイ本体４００の観察面４３０には透光性の赤色インクが塗付されている。さらに観察面４３０には光拡散処理としてシボ加工が施されている。
【００２３】
次にディスプレイ装置１１０の使用態様を説明する。第１ＬＥＤ５０の光は、上部フレーム４１０の方向に進行し、面４２０へ照射される。この光の一部は、面４２０により壁面２側へ拡散反射される。拡散反射された光は固定板５１を透過する過程で面５２によってさらに拡散され壁面２へ照射される。第１ＬＥＤ５０の光の他の一部は、面４２０から上部フレーム４１０内に入射する。入射した光は観察面４３０から外部へ放出される。このとき、観察面４３０にはシボ加工が施されているため、上部フレーム４１０に入射した光は観察面４３０から拡散して放出される。観察面４３０には赤色インクが塗付されているため、放出光は赤色に色変換されることとなる。その結果、ディスプレイ本体４００が模る「０」形状が赤色発光して観察される。よって、ディスプレイ装置１１０によっても、ディスプレイ装置１と同等の効果を奏する。
【産業上の利用可能性】
【００２４】
本発明のディスプレイ装置は、例えばロゴの表示や広告の表示などの表示装置にその利用が図られる。
【００２５】
本発明は、上記発明の実施の形態及び実施例に何ら限定されるものではない。特許請求の範囲の記載を逸脱せず、当業者が容易に想到できる範囲で種々の変形態様もこの発明に含まれる。
【図面の簡単な説明】
【００２６】
【図１】図１は本発明の一の実施例であるディスプレイ装置１の斜視図である。
【図２】図２はディスプレイ装置１のａ−ａ断面図である。
【図３】図３は本発明の他の実施例であるディスプレイ装置１０の断面図である。
【図４】図４は本発明の他の実施例であるディスプレイ装置１１０の断面図である。
【図５】図５は従来例であるディスプレイ装置１００の斜視図及び断面図である。
【符号の説明】
【００２７】
１  １０  １１０  ディスプレイ表示装置
２  壁面
４  ４００  ディスプレイ本体
４１  ４１０  上部フレーム
４２  ４２０  光反射拡散面
４３  ４３０  
５  第１のＬＥＤユニット
５０  第１ＬＥＤ
５１  ５１０  固定板
５２  光透過孔
６  第２のＬＥＤユニット
６０  第２ＬＥＤ
７  カバー
【図１】
2006208938.tif 000003
【図２】
2006208938.tif 000004
【図３】
2006208938.tif 000005
【図４】
2006208938.tif 000006
【図５】
2006208938.tif 000007